(57)【要約】【課題】コンクリート製の側溝ブロックどうしをロングボルトで前後方向に連結する側溝において、ロングボルトを利用してグレーチングが跳ね上がらないようにガッチリと固定する。【解決手段】左右側壁２・２と前後の上壁３・３とを有するコンクリート製の側溝ブロック１が、ロングボルト７とナット９とで前後方向に連結されている。側溝ブロック１にグレーチング１２を固定する跳ね上がり防止構造を有する。跳ね上がり防止構造として、ロングボルト７を利用してこれに締結される止め具１９と、グレーチング１２側に設けた締結プレート２９と、締結プレート２９のボルト挿通孔３１に上方から挿通されて先端が止め具１９の受け片２０側にねじ止めされる止めボルト３０とを備えている。【選択図】図１
2005171594.tif 000002
【特許請求の範囲】
【請求項１】
対向する左右側壁２・２の前後長手方向の端部の上面に、左右側壁２・２どうしをつなぐ上壁３・３が設けられたコンクリート製の側溝ブロック１と、
隣接する側溝ブロック１の上壁３・３どうしを突き合わせ連結するために、上壁３・３間に挿通されるロングボルト７と、このロングボルト７に螺合するナット９と、
選ばれた側溝ブロック１の上壁３・３間の溝開口５に敷設されるグレーチング１２とを含み、
側溝ブロック１にグレーチング１２を固定する側溝の跳ね上がり防止構造において、
ロングボルト７の挿通を許す孔２６を持っていて、側溝ブロック１の上壁３の溝開口５に臨む側面にロングボルト７とナット９とによる締結で固定される固定片２１と、固定片２１につながる受け片２０とを含む止め具１９と、
グレーチング１２のメインバー１５・１５間に下方への抜け止めを図って付設され、ボルト挿通孔３１を有する締結プレート２９と、
締結プレート２９のボルト挿通孔３１に上方から挿通されて先端が止め具１９の受け片２０側にねじ止めされる止めボルト３０とを備えていることを特徴とする側溝の跳ね上がり防止構造。
【請求項２】
止め具１９が、水平状の受け片２０と、受け片２０から立ち上がる垂直状の固定片２１と、受け片２０から起立してグレーチング１２の下面を受け止める起立片２２とからなる請求項１記載の側溝の跳ね上がり防止構造。
【請求項３】
側溝ブロック１の溝開口５に臨む左右側壁２・２に、コンクリート蓋１１を受け止める受け面１０・１０が段付き状に形成されており、
左右側壁２・２の受け面１０・１０に、グレーチング１２の左右端部が嵩上げ部材１３・１３を介して受け止められている請求項１又は２記載の側溝の跳ね上がり防止構造。
【請求項４】
コンクリート蓋１１に、これよりも上下高さが小さいグレーチング１２を跳ね出し防止のために固定する補助止め具３２を有し、
補助止め具３２が、グレーチング１２の下面に着脱自在にボルト止めされる上片３３と、上片３３の前後方向の一端から下方に延びる連結片３５と、連結片３５の下端から水平状に延出されてコンクリート蓋１１の下面を受ける下片３６とからなる請求項３記載の側溝の跳ね上がり防止構造。
【発明の詳細な説明】
【技術分野】
【０００１】
本発明は、コンクリート製の側溝ブロックの溝開口に敷設されるグレーチング蓋の跳ね上がり防止構造に関する。
【背景技術】
【０００２】
この種の側溝ブロックは、左右側壁の前後端の上面に上壁が一体に形成され、前後の上壁間の溝開口がコンクリート蓋やグレーチングで蓋される。その側溝ブロックどうしは、前後方向に突き合わせ連結される。そのために、特許文献１では、隣接する両側溝ブロックの上壁どうしを、これらの間に挿通されるロングボルトと、このロングボルトに螺合するナットとで締結することが開示されている。
【０００３】
特許文献２では、側溝ブロックにグレーチングを配する場合に、側溝ブロックの上壁とこれに突き合わされるグレーチングの端との間に跳ね上がり防止構造を設けることが開示されている。ここでは、コンクリート蓋とグレーチングとの間にも同一仕様の跳ね上がり防止構造が設けられている。
【０００４】
【特許文献１】実開平４−２２５１３号公報（第１図、締付孔２０）
【特許文献２】特開２００３−２７５７６号公報（段落番号００８７、図１０）
【発明の開示】
【発明が解決しようとする課題】
【０００５】
特許文献２の跳ね上がり防止構造は、側溝ブロックの上壁の開口側面に支持棒を取り付け、グレーチングにはクロスバーまわりに旋回するロック部材を吊り掛け、このロック部材を支持棒に引っ掛けるようにしている。
【０００６】
しかし、側溝ブロックにロック専用の支持棒をいちいち取り付けるのは面倒である。何よりも、その支持棒や、これに引っ掛けるだけのロック部材では強度的に不安がある。
【０００７】
そこで本発明の目的は、側溝ブロックどうしを連結するための前記ロングボルトを利用してグレーチングを側溝ブロックにガッチリと長期にわたって確実強固に固定できる側溝の跳ね上がり防止構造を提案するにある。
【課題を解決するための手段】
【０００８】
本発明が対象とする側溝は、図１および図２に示すごとく、対向する左右側壁２・２の前後長手方向の端部の上面に、左右側壁２・２どうしをつなぐ上壁３・３が設けられたコンクリート製の側溝ブロック１と、隣接する側溝ブロック１の上壁３・３どうしを突き合わせ連結するために、上壁３・３間に挿通されるロングボルト７と、このロングボルト７に螺合するナット９と、選ばれた側溝ブロック１の上壁３・３間の溝開口５に敷設されるグレーチング１２とを含む。
【０００９】
本発明は、かかる側溝において、側溝ブロック１にグレーチング１２を固定する跳ね上がり防止構造を有する。その跳ね上がり防止構造は、止め具１９と締結プレート２９と止めボルト３０とを備えている。止め具１９は、図６に示すごとくロングボルト７の挿通を許す孔２６を持っていて、側溝ブロック１の上壁３の溝開口５に臨む側面にロングボルト７とナット９とによる締結で固定される固定片２１と、固定片２１につながる受け片２０とを含む。締結プレート２９は、図１および図４に示すごとく、グレーチング１２のメインバー１５・１５間に下方への抜け止めを図って付設され、ボルト挿通孔３１を有する。止めボルト３０は、締結プレート２９のボルト挿通孔３１に上方から挿通されて先端が止め具１９の受け片２０側にねじ止めされる。
【００１０】
更に具体的に説明すると、止め具１９は、図６に示すごとく水平状の受け片２０と、受け片２０から立ち上がる垂直状の固定片２１と、受け片２０から起立してグレーチング１２の下面を受け止める起立片２２とからなる。
【００１１】
側溝ブロック１の溝開口５に臨む左右側壁２・２には、図１に示すごとくコンクリート蓋１１を受け止める受け面１０・１０が段付き状に形成されており、左右側壁２・２の受け面１０・１０に、グレーチング１２の左右端部が嵩上げ部材１３・１３を介して受け止められる。嵩上げ部材１３・１３はグレーチング１２に溶接しておくことができる。
【００１２】
コンクリート蓋１１には、これよりも上下高さが小さいグレーチング１２を跳ね出し防止のために固定する補助止め具３２を有する。この補助止め具３２は、図５に示すごとくグレーチング１２の下面に着脱自在にボルト止めされる上片３３と、上片３３の前後方向の一端から下方に延びる連結片３５と、連結片３５の下端から水平状に延出されてコンクリート蓋１１の下面を受ける下片３６とからなる。
【発明の効果】
【００１３】
本発明によれば、側溝ブロック１・１の上壁３・３どうしを連結するロングボルト７を利用して止め具１９を上壁３に締結固定し、この止め具１９にグレーチング１２の端を止めボルト３０でねじ止めする形式を採る。したがって、側溝ブロック１の上壁３に対してグレーチング１２の端部をボルト止めによって確りと固定し、グレーチング１２の跳ね上がりを長期にわたって防止できる。
【００１４】
止め具１９が起立片２２を有するときは、止めボルト３０を受け片２０側にねじ込んで行ったとき、起立片２２の上端でグレーチング１２の下面を受けることにより、止めボルト３０のねじ込み限界を規制しながら、止め具１９の変形防止をも図れる。
【００１５】
側溝ブロック１の溝開口５の受け面１０・１０にグレーチング１２が嵩上げ部材１３を介して受け止められていると、溝開口５に上下厚みがあるコンクリート蓋１１と、これよりも上下高さが小さいグレーチング１２とを同時に敷設する場合にも、両者１１・１２の上面を面一状にすることができる。
【００１６】
そのうえで、補助止め具３２を用いて、コンクリート蓋１１とグレーチング１２とがボルト止めされていると、コンクリート蓋１１が介在しても、グレーチング１２は前後端が跳ね出すことなく確りと固定できることになる。
【発明を実施するための最良の形態】
【００１７】
（第１実施例）  図１ないし図６は、本発明の第１実施例を示しており、図において符号１は側溝を構築するためのコンクリート製の側溝（基礎）ブロックである。
【００１８】
側溝ブロック１は、図１ないし図３に示すごとく、対向する左右側壁２・２と左右側壁２・２の前後長手方向の両端部の上面に一体に設けられて左右側壁２・２どうしをつなぐ上壁３・３とを含み、下面が開口している。側溝ブロック１の上壁３・３間は、図６に示すごとく上面が溝開口５として開放されている。各上壁３の左右には、図６に示すごとく前後方向に貫通する一対の通孔６・６が設けられている。
【００１９】
側溝の構築に際しては、コンクリート基礎の上に側溝ブロック１どうしを前後方向に連結した状態で敷設し、溝開口５から底打ちコンクリートを打設して、側溝の溝底面を形成する。
【００２０】
前後に隣接する側溝ブロック１・１は、図４に示すごとく前後端の上壁３・３の開口側面どうしを突き合わせて、各通孔６にロングボルト７を前後方向に通し、ロングボルト７の突出端にナット９を螺合することにより、順次連結することになる。
【００２１】
各側溝ブロック１の左右側壁２・２には、溝開口５に臨む上端近くに受け面１０・１０が形成されており、この受け面１０・１０で溝開口５を塞ぐコンクリート蓋１１が受け止められる。
【００２２】
ひとつの側溝ブロック１において、溝開口５が数枚のコンクリート蓋１１のみで塞がれることもあるが、図２では中央にひとつのコンクリート蓋１１を配してその前後に２枚のグレーチング１２・１２を配した例が示されている。図３では、ひとつの側溝ブロック１の溝開口５が、前後方向に長い１枚のグレーチング１２で塞がれている。これらの配し方は任意に選択できる。
【００２３】
但し、受け面１０・１０の高さは、コンクリート蓋１１を基準にして深さ寸法が設定されているところ、グレーチング１２の上下高さ寸法はコンクリート蓋１１の上下厚さ寸法よりも小さい。そのため、溝開口５の上面を塞ぐべきグレーチング１２は、図１に示すごとくこれの左右端部が前記受け面１０・１０に金属製の中空枠材からなる嵩上げ部材１３・１３を介して受け止められている。グレーチング１２の下面の左右端に嵩上げ部材１３・１３が溶接されている。これにより、装着下のコンクリート蓋１１およびグレーチング１２の上面は、側溝ブロック１の左右側壁２・２および上壁３・３の上面と実質的に面一状となる。
【００２４】
金属製のグレーチング１２は、前後方向に定ピッチで配した左右横長のメインバー１５と、各メインバー１５の左右端が溶接された左右のエンドバー１６と、メインバー１５群の上端に配した前後方向に走るクロスバー１７とからなる公知のものである。
【００２５】
車両が通過する道路の側溝において、路面の水捌けを良くするためにグレーチング１２を敷設したとき、グレーチング１２が車両に踏まれて跳ね上がりやすく、これを防止する必要がある。
【００２６】
そこで本発明では、隣接する両側溝ブロック１・１の上壁３・３どうしを連結するためのロングボルト７とナット９とを利用して、グレーチング１２の跳ね上がり防止構造を設けた点に特徴を有する。
【００２７】
その跳ね上がり防止構造として、金属製の止め具１９が用意されている。この止め具１９は、図１および図６に示すごとく、水平状にセットされる左右横長で平板状の受け片２０と、受け片２０の左右端から上方に向けて立ち上げ溶接された垂直状の固定片２１と、受け片２０の左右に溶接されて上方に起立する起立片２２とからなる。受け片２０の左右には貫通孔２３を設け、受け片２０の下面の貫通孔２３まわりにナット２５が溶接されている。
【００２８】
各固定片２１は、所定の左右幅を有する金属板からなり、受け片２０の前後幅方向の一端側上面において、受け片２０に対し左右方向に配されており、固定片２１の上端近くにロングボルト７の挿通用孔２６が設けられている。図中、符号２７は受け片２０と固定片２１とを直交状に維持するために両者２０・２１間に溶接した補強プレートである。
【００２９】
一方、グレーチング１２の前後方向の一端側には、隣接するメインバー１５・１５の下端間に金属製の締結プレート２９を溶接してあり、この締結プレート２９に止めボルト３０が上方から挿通されるボルト挿通孔３１を設けてある。
【００３０】
いま、側溝ブロック１の溝開口５にグレーチング１２を敷設する場合は、止め具１９の各固定片２１を上壁３の開口側面に添え、固定片２１の孔２６に各ロングボルト７を挿通し、上壁３・３どうしをロングボルト７とナット９とで締結する際に固定片２１を共締めし、これにて上壁３に止め具１９をこれの受け片２０が水平姿勢になるよう固定する。各上壁３の前後の開口側面には、図６に示すごとく固定片２１が回り止め状に嵌まり込む凹み３ａを形成してある。
【００３１】
その後に、側溝ブロック１の溝開口５にグレーチング１２を前述の要領で装着する。このとき、止め具１９の受け片２０は、図４に示すごとくグレーチング１２の端側の下方に回り込んで位置している。この状態から、グレーチング１２の上方より締結プレート２９のボルト挿通孔３１に止めボルト３０を挿通し、止めボルト３０の下端を貫通孔２３を介してナット２５に螺合する。これにて、グレーチング１２の端を上壁３に止め具１９を介してボルト止めする。
【００３２】
止めボルト３０での締結時に、止め具１９の起立片２２の上端は、止めボルト３０をナット２５にねじ込んで行くと、グレーチング１２のメインバー１５ないし締結プレート２９の下面に受け止められ、止めボルト３０の締め込み限界を規制し、同時に補強プレート２７と相まって固定片２１に対して受け片２０が曲げ変形を受けることを防止する。
【００３３】
側溝ブロック１の溝開口５に長尺のグレーチング１２をこれ１枚だけ装着する図３の使用形態では、グレーチング１２の前後端を側溝ブロック１の上壁３・３にそれぞれ止め具１９・１９を用いて前述の要領で固定することになる。
【００３４】
ひとつの側溝ブロック１の溝開口５にコンクリート蓋１１とグレーチング１２とを配する図２の使用形態においては、コンクリート蓋１１に対してもグレーチング１２を補助止め具３２で固定する。
【００３５】
そのための補助止め具３２は、図５に示すごとく四角形の上片３３と、上片３３の前後方向の一端から下方に延びるよう折り曲げ形成された連結片３５と、連結片３５の下端から上片３３とは逆向きの方向へ水平状に延びるよう折り曲げ形成された下片３６とからなる金属板のプレス成形品であり、上片３３の中央にボルト孔３７が貫通状に形成され、上片３３の下面のボルト孔３７まわりにナット３９が溶接されている。
【００３６】
補助止め具３２は、グレーチング１２の下面に上片３３を介して着脱自在にボルト止めする。そのために、ボルト受け４０とボルト４１とを備えている。ボルト受け４０は、図５に示すごとく中央にボルト孔４２を有する主面板４３と、主面板４３の前後端から上向きに折り曲げ連設した側面板４４・４４と、側面板４４・４４の上端から外側方に折り曲げ連設した掛け止め片４５・４５とを有する。
【００３７】
そのうえで、まずコンクリート蓋１１に対向するグレーチング１２の前後方向の一端において、隣接する両メインバー１５・１５間の上面にボルト受け４０を掛け止める。すなわち両メインバー１５・１５間にボルト受け４０の主面板４３と両側面板４４・４４とを嵌め込み、前後の掛け止め片４５・４５を各メインバー１５・１５の上端にこれを跨ぐ状態で掛け止め係止する。
【００３８】
次に、隣接する前記メインバー１５・１５間の下面に補助止め具３２の上片３３を当て付け、ボルト受け４０のボルト孔４２に上方からボルト４１を挿通し、該ボルト４１の下端をボルト孔３７を介してナット３９に螺合することにより、グレーチング１２に補助止め具３２をボルト止めする。
【００３９】
その後に、側溝ブロック１の溝開口５にコンクリート蓋１１を落とし込み装着し、コンクリート蓋１１の端部下面を下片３６で受け止める。これにて、グレーチング１２はコンクリート蓋１１と対向する側においても、跳ね上がりが防止された状態で固定される。
【００４０】
（第２実施例）  図７は本発明の第２実施例を示しており、締結プレート２９が図５に示したボルト受け４０と同一仕様になっており、グレーチング１２に該締結プレート２９を介して止め具１９が止めボルト３０で締結されるようになっている。その他の構成は第１実施例と実質的に同一であるから、同一部材には同一符号を付して説明を省略する。
【００４１】
止め具１９の受け片２０と固定片２１とは、Ｌ字状に折り曲げ形成された金属板ないしプラスチック製でもよい。隣接する側溝ブロック１・１の上壁３・３どうしは左右方向の中央部位において１本のロングボルト７で締結されていてもよい。
【００４２】
止めボルト３０は止め具１９の受け片２０に設けたねじ孔に螺合してもよい。同様に、ボルト４１も、補助止め具３２の上片３３に設けたねじ孔に螺合する形式でもよい。第１実施例における締結プレート２９は、図７の第２実施例からも判るように、隣接する両メインバー１５・１５間の上端に溶接されていてもよい。
【図面の簡単な説明】
【００４３】
【図１】図３におけるＡ−Ａ線断面図
【図２】コンクリート蓋とグレーチングとを配した形式での平面図
【図３】長尺のグレーチングのみを配した形式での平面図
【図４】要部の縦断側面図
【図５】コンクリート蓋に対すグレーチングの固定構造を示す縦断側面図
【図６】本発明の構成部材の斜視図
【図７】本発明の第２実施例を示す要部の縦断側面図
【符号の説明】
【００４４】
１  側溝ブロック
２  側溝ブロックの側壁
３  側溝ブロックの上壁
５  側溝ブロックの溝開口
７  ロングボルト
９  ナット
１１  コンクリート蓋
１２  グレーチング
１３  嵩上げ部材
１５  メインバー
１６  エンドバー
１９  止め具
２０  止め具の受け片
２１  止め具の固定片
２２  止め具の起立片
２６  孔
２９  締結プレート
３０  止めボルト
３１  ボルト挿通孔
３２  補助止め具
３３  補助止め具の上片
３５  補助止め具の連結片
３６  補助止め具の下片
３９  ナット
４０  ボルト受け
４１  ボルト
４２  ボルト孔
【図１】
2005171594.tif 000003
【図２】
2005171594.tif 000004
【図３】
2005171594.tif 000005
【図４】
2005171594.tif 000006
【図５】
2005171594.tif 000007
【図６】
2005171594.tif 000008
【図７】
2005171594.tif 000009